(57)【特許請求の範囲】
【請求項１】
有機ハロゲン化合物等の有害物質が付着・吸着した固体を導入する筐体と、該筐体内に導入した有害物質が付着・吸着した固体にマイクロ波を照射するマイクロ波照射機構とを備えた有機ハロゲン化合物等の有害物質の処理装置において、マイクロ波の照射空間を構成する筐体の上半部の周壁の平面断面形状を５角形以上の奇数個の辺を有する多角形に形成したことを特徴とする有機ハロゲン化合物等の有害物質の処理装置。
【請求項２】
有機ハロゲン化合物等の有害物質が付着・吸着した固体を導入する筐体と、該筐体内に導入した有害物質が付着・吸着した固体にマイクロ波を照射するマイクロ波照射機構とを備えた有機ハロゲン化合物等の有害物質の処理装置において、マイクロ波の照射空間を構成する筐体の上半部の周壁を角錐又は角錐台形状で、かつ、該周壁の平面断面形状を５角形以上の多角形に形成したことを特徴とする有機ハロゲン化合物等の有害物質の処理装置。
【請求項３】
前記多角形が略正多角形であることを特徴とする請求項１又は２記載の有機ハロゲン化合物等の有害物質の処理装置。
【発明の詳細な説明】
【技術分野】
【０００１】
本発明は、有機ハロゲン化合物等の有害物質の処理装置に関し、特に、有機ハロゲン化合物等の有害物質が付着・吸着した固体にマイクロ波を照射することによって有機ハロゲン化合物等の有害物質を分解するようにした有機ハロゲン化合物等の有害物質の処理装置に関するものである。
【背景技術】
【０００２】
都市ごみ焼却炉から排出され、集塵機によって回収される集塵灰には、ダイオキシン類を始めとする有機ハロゲン化合物等の有害物質が含有されており、この集塵灰を、灰固化装置等によって固形化して有機ハロゲン化合物等の有害物質の溶出を防止した後に埋め立て等の処理を行っていた。
【０００３】
これに対して、ダイオキシン類の人体への悪影響を最小限に抑制する目的で、「廃棄物焼却炉に係るばいじん等に含まれるダイオキシン類の量の基準及び測定の方法に関する省令」により、平成１４年１２月１日以降、集塵灰中に含有されるダイオキシン類の含有濃度を集塵灰１グラムにつき３ナノグラム以下にすることについての規制がなされ、集塵灰に対してもダイオキシン類を除去する措置を施す必要が生じることとなった。
【０００４】
そして、この規制に適合すべく、集塵灰を酸素欠乏状態で、３５０℃以上、好ましくは、４００℃以上で３０分以上加熱し、さらに再合成を防ぐために加熱後急速に２００℃以下に冷却する方法や、集塵灰にマイクロ波を照射することによってダイオキシン類を分解することが提案され、実用化されている（例えば、特許文献１〜３参照）。
【０００５】
ところで、集塵灰にマイクロ波を照射する際に使用される集塵灰を導入する筐体には、製造のしやすさ等の点で、通常、平面断面形状が円形、すなわち、円筒形のものが用いられている。
しかしながら、円筒形の筐体内にマイクロ波を照射すると、円筒形の筐体の内壁面で反射したマイクロ波が筐体の中心軸に集中する傾向があり、処理対象物へのマイクロ波の照射が不均一になるという問題があった。
そして、この問題を解消するためには、電磁波攪拌スターラ等の装置を別途設置し、照射されたマイクロ波を攪拌する必要があり、装置の製造コストが上昇するという問題があった。
【特許文献１】特開２０００−３３４０６２号公報
【特許文献２】特開２００１−１９６４６号公報
【特許文献３】特開２００５−１６９２９１号公報
【発明の開示】
【発明が解決しようとする課題】
【０００６】
本発明は、上記従来の有機ハロゲン化合物等の有害物質の処理装置が有する問題点に鑑み、電磁波攪拌スターラ等の装置を別途設置することなく、筐体の内壁面で反射したマイクロ波が特定箇所に集中しないようにして、処理対象物にマイクロ波を均一に照射することができるようにした有機ハロゲン化合物等の有害物質の処理装置を提供することを目的とする。
【課題を解決するための手段】
【０００７】
上記目的を達成するため、本発明の有機ハロゲン化合物等の有害物質の処理装置は、有機ハロゲン化合物等の有害物質が付着・吸着した固体を導入する筐体と、該筐体内に導入
した有害物質が付着・吸着した固体にマイクロ波を照射するマイクロ波照射機構とを備えた有機ハロゲン化合物等の有害物質の処理装置において、マイクロ波の照射空間を構成する筐体の上半部の周壁の平面断面形状を５角形以上の奇数個の辺を有する多角形に形成したことを特徴とする。
また、同じ目的を達成するため、本発明の有機ハロゲン化合物等の有害物質の処理装置は、有機ハロゲン化合物等の有害物質が付着・吸着した固体を導入する筐体と、該筐体内に導入した有害物質が付着・吸着した固体にマイクロ波を照射するマイクロ波照射機構とを備えた有機ハロゲン化合物等の有害物質の処理装置において、マイクロ波の照射空間を構成する筐体の上半部の周壁を角錐又は角錐台形状で、かつ、該周壁の平面断面形状を５角形以上の多角形に形成したことを特徴とする有機ハロゲン化合物等の有害物質の処理装置。
【０００８】
この場合において、前記多角形を略正多角形にすることができる。
【発明の効果】
【００１１】
本発明の有機ハロゲン化合物等の有害物質の処理装置は、有機ハロゲン化合物等の有害物質が付着・吸着した固体を導入する筐体と、該筐体内に導入した有害物質が付着・吸着した固体にマイクロ波を照射するマイクロ波照射機構とを備えた有機ハロゲン化合物等の有害物質の処理装置において、マイクロ波の照射空間を構成する筐体の上半部の周壁の平面断面形状を５角形以上の多角形に形成するようにしているので、筐体の内壁面で反射したマイクロ波が特定箇所に集中することがなく、処理対象物にマイクロ波を均一に照射することができる。
そして、前記多角形を奇数個の辺を有する多角形にすることにより、偶数個の辺を有する多角形の場合のようにマイクロ波が対向する面間で反射することがなく、筐体の内壁面で反射したマイクロ波が分散されやすく、処理対象物にマイクロ波を一層均一に照射することができる。
また、前記筐体の上半部の周壁を角錐又は角錐台形状に形成することにより、筐体の内壁面で反射したマイクロ波を下向きに指向させることができ、処理対象物にマイクロ波を効率よく照射することができる。
【００１２】
また、前記多角形を略正多角形にすることにより、処理対象物にマイクロ波を偏りなく、均一に照射することができる。
【発明を実施するための最良の形態】
【００１５】
以下、本発明の有機ハロゲン化合物等の有害物質の処理装置の実施の形態を図面に基づいて説明する。
【００１６】
図１〜図２に、本発明の有機ハロゲン化合物等の有害物質の処理装置の一実施例を示す。
【００１７】
この有機ハロゲン化合物等の有害物質の処理装置は、有機ハロゲン化合物等の有害物質が付着・吸着した固体（例えば、集塵灰等の粉体）を導入する密閉容器として構成した筐体１と、この筐体１内に導入した有害物質が付着・吸着した固体にマイクロ波を照射するマイクロ波照射機構２とを備えるようにしている。
【００１８】
この場合において、筐体１は、筐体１内に導入した有害物質が付着・吸着した固体の上方においてマイクロ波の照射空間を構成する筐体１の上半部の周壁１Ａの平面断面形状を５角形以上の多角形（特に限定されるものではないが、本実施例においては、略正８角形）に形成するようにしている。
ここで、「平面断面形状を５角形以上の多角形により形成する」とは、具体的には、筐体１の上半部の周壁１Ａを、５角形以上の多角筒形状や角錐又は角錐台形状に形成することを意味する。
これにより、筐体１の上半部の周壁１Ａの内壁面で反射したマイクロ波が特定箇所に集中することがなく、処理対象物である有機ハロゲン化合物等の有害物質が付着・吸着した固体（本明細書において、「処理対象物」という場合がある。）にマイクロ波を均一に照射することができる。
なお、多角形の辺の個数は、５個以上であれば特に限定されるものではないが、２０個を越えると、円形に近づいて、筐体１の上半部の周壁１Ａの内壁面で反射したマイクロ波が筐体１の中心軸に集中する傾向が生じ、好ましくない。
一方、４個以下の場合は、角部等にマイクロ波が照射されにくい箇所が生じ、好ましくない。
【００１９】
また、平面断面形状の多角形は、略正多角形にすることが好ましい。
これにより、処理対象物にマイクロ波を偏りなく、均一に照射することができる。
【００２０】
また、平面断面形状の多角形は、奇数個の辺を有する多角形にすることが好ましい。  これにより、偶数個の辺を有する多角形の場合のようにマイクロ波が対向する筐体１の上半部の周壁１Ａの内壁面間で反射することがなく、筐体１の上半部の周壁１Ａの内壁面で反射したマイクロ波が分散されやすく、処理対象物にマイクロ波を一層均一に照射することができる。
【００２１】
また、筐体１の上半部の周壁１Ａは、角錐又は角錐台形状（特に限定されるものではないが、本実施例においては、略正８角錐台形状）に形成することが好ましい。
これにより、筐体の上半部の周壁１Ａの内壁面で反射したマイクロ波を下向きに指向させることができ、処理対象物にマイクロ波を効率よく照射することができる。
この場合、筐体１の上半部の周壁１Ａの鉛直面に対する角度θは、数度〜２０度程度（特に限定されるものではないが、本実施例においては、約５度）に設定することが好ましい。
【００２２】
一方、筐体１の下半部の周壁１Ｂは、筐体１内に導入した有害物質が付着・吸着した固体を攪拌するとともに、処理済みの固体を導出部５に導くためのロータリースクレーパ（図示省略）を備えた攪拌・排出機構６を配設する関係上、円筒形状に形成するようにしている。
そして、本実施例においては、筐体１の上半部の周壁１Ａと下半部の周壁１Ｂとを、なだらかな中間部の周壁１Ｃにより接続するようにし、電磁波に対してアンテナとなる突起物が少ない構造とするようにしている。
なお、攪拌・排出機構６として、気体による攪拌・排出機構を用いる等で筐体１の下半部の周壁１Ｂの形状に制約がない場合には、筐体１の下半部の周壁１Ｂの形状を、上半部の周壁１Ａに合わせて形成することもできる。
【００２３】
筐体１は、ステンレススチール、アルミニウム、アルミニウム合金等の電磁波吸収性の低い材料で構成するようにする。
【００２４】
そして、筐体１の上面及び／又は上半部の周面に複数台のマイクロ波照射機構２を、また、上面に筐体１内で発生した排ガスを濾過するフィルタ濾過機構３及び有機ハロゲン化合物等の有害物質が付着・吸着した固体の導入部４を、下面に処理済みの固体の導出部５を、下半部に筐体１内に導入した有害物質が付着・吸着した固体を攪拌するとともに、処理済みの固体を導出部５に導くためのロータリースクレーパ（図示省略）を備えた攪拌・排出機構６及び処理中の固体の温度を測定する熱電対７を、それぞれ配設するようにしている。
【００２５】
有機ハロゲン化合物等の有害物質が付着・吸着した固体には、必要に応じて、水添加機構、アルカリ物質添加機構、電磁波吸収物質添加機構、還元剤添加機構等（図示省略）から、有害物質を分解処理するために必要な水分、アルカリ物質（酸化カルシウムＣａＯや水酸化ナトリウムＮａＯＨ等）、電磁波吸収物質（活性炭や酸化鉄等）、還元剤等を添加できるようにするが、これらの水添加機構、アルカリ物質添加機構、電磁波吸収物質添加機構、還元剤添加機構等は、筐体１に備えるようにするほか、この処理装置による処理工程の前工程に配設し、有機ハロゲン化合物等の有害物質が付着・吸着した固体に水分、アルカリ物質、電磁波吸収物質、還元剤等を添加した状態で筐体１に供給するようにすることもできる。
なお、添加物質としては、このほか、酸化反応量の調整を主目的として、空気や窒素を筐体１内部に供給することも可能である。
【００２６】
マイクロ波照射機構２の照射口２ａは、石英ガラスやフッ素樹脂等の電磁波透過性が高くかつ耐薬品性と耐熱性に優れた材料で構成することによりシールを行い、筐体１内で発生する高温腐食性ガスのマイクロ波照射機構２への侵入を防止するようにする。
【００２７】
フィルタ濾過機構３は、図２に示すように、筐体１内で発生した排ガスを濾過して外部に排出するためのもので、フィルタ濾過機構３のケーシング３０の開口部３０ａを介して筐体１内に照射されたマイクロ波がフィルタ濾過機構３のフィルタ部３１に照射されるように、フィルタ濾過機構３のケーシング３０を筐体１に連通して取り付けるようにしている。
このように、フィルタ濾過機構３のケーシング３０を筐体１に連通して取り付けるようにすることにより、フィルタ濾過機構３の取り付けが簡易となり、メンテナンス時の作業も容易となる。
【００２８】
フィルタ濾過機構３のフィルタ部３１には、マイクロ波が照射されることによって直接的に、あるいは、マイクロ波の照射によって加熱されるフィルタ部３１を介して間接的に活性化される、有機ハロゲン化合物等の有害物質を分解する酸化チタンや５酸化バナジウム等の触媒３２を濾布の表面に塗布又は吹き付けによって層状に配する（プレコート処理）ようにする。
フィルタ部３１を構成する濾布には、セラミックスフィルタ等の電磁波吸収特性が低く、耐熱性が高い材料を使用することにより、マイクロ波による加熱ロスが生じず、このため、熱損傷を受けることがなく、省エネルギとフィルタ部の耐久性の向上を図ることができる。
【００２９】
そして、マイクロ波の照射による加熱では、筐体１内の気体温度が上昇しにくいことから、フィルタ部３１にマイクロ波によって活性化される有機ハロゲン化合物等の有害物質を分解する触媒３２を配したことと相俟って、図３に示すように、フィルタ濾過機構３において、比較的低温、より具体的には、フィルタ濾過機構３に導入する排ガスの温度が２００℃未満となるようにしても、有機ハロゲン化合物等の有害物質を確実に分解し、フィルタ部３１に捕集した粉塵粒子（汚染粒子）を浄化粒子とするとともに、排ガスを浄化ガスとすることができる。
このように、フィルタ濾過機構３において有機ハロゲン化合物等の有害物質を比較的低温で確実に分解できることから、低沸点有害物質の捕捉効率を高めることができるとともに、フィルタ部３１の耐久性を向上し、さらに、ダイオキシン類が再合成されるおそれをなくすことができる。
【００３０】
また、フィルタ濾過機構３には、浄化ガスを外部に排出するための排気管３３と、フィルタ部３１に捕集した粉塵粒子をパルスジェット等の気流により払い落とすための逆洗機構３４を、それぞれ配設するようにしている。
さらに、有用低沸点物質でフィルタ濾過機構３を通過したものについては、系外に凝縮装置（図示省略）を後置することによって目的物質を回収することができる。
また、フィルタ濾過機構３を通過した浄化ガスに対して中和処理を必要とする場合は、系外にアルカリ溶液タンク（図示省略）などを後置して処理を行ったり、フィルタ部３１にアルカリ物質（水酸化カルシウムＣａ（ＯＨ）２）等のアルカリ物質をプレコート処理することによって対処することができる。
【００３１】
また、熱電対７は、処理中の固体の温度を測定するためのもので、測定した温度に基づいて、マイクロ波照射出力制御機構（図示省略）によりマイクロ波照射機構２からのマイクロ波の照射出力を制御し、これにより、処理中の固体の加熱温度を常に適正に保持し、有機ハロゲン化合物の脱ハロゲン化反応等の有害物質の分解処理を優位に促進するようにしている。
なお、マイクロ波照射機構２からのマイクロ波の照射出力の制御は、熱電対７のほか、筐体１の上部に設置した放射温度計（図示省略）を併用して行うこともできる。
【００３２】
以上、本発明の有機ハロゲン化合物等の有害物質の処理装置について、その実施例に基づいて説明したが、本発明は上記実施例に記載した構成に限定されるものではなく、その趣旨を逸脱しない範囲において適宜その構成を変更することができるものである。
【産業上の利用可能性】
【００３３】
本発明の有機ハロゲン化合物等の有害物質の処理装置は、筐体の内壁面で反射したマイクロ波が特定箇所に集中しないようにして、処理対象物にマイクロ波を均一に照射することができるという特性を有していることから、ダイオキシン類を始めとする有機ハロゲン化合物等の有害物質が含有されている集塵灰の無害化処理の用途に好適に用いることができるほか、その他の有害物質の無害化処理の用途にも用いることができる。
【図面の簡単な説明】
【００３４】
【図１】本発明の有機ハロゲン化合物等の有害物質の処理装置の一実施例を示し、（ａ）は正面図、（ｂ）は平面図である。
【図２】同処理装置のフィルタ濾過機構を示し、（ａ）は正面図、（ｂ）は平面図（ｃ）は側面図である。
【図３】本発明の有機ハロゲン化合物等の有害物質の処理装置による有害物質の分解処理の概念図である。
【符号の説明】
【００３５】
１    筐体
１Ａ  上半部の周壁
１Ｂ  下半部の周壁
１Ｃ  中間部の周壁
２    マイクロ波照射機構
２ａ  照射口
３    フィルタ濾過機構
３０  ケーシング
３０ａ  開口部
３１  フィルタ部
３２  触媒
３３  排気管
３４  逆洗機構
４    導入部
５    導出部
６    攪拌・排出機構
７    熱電対
【図１】
0004494334.tif 000002
【図２】
0004494334.tif 000003
【図３】
0004494334.tif 000004